(57)【特許請求の範囲】
【請求項１】
床上に支持されるように配置するベースと、
該ベースに取り付けられ、該ベースに対して実質的な直立方向において調整可能なキャリアと、
実質的に水平延伸し且つ該キャリアに接続されるシート部表面を有するシート部と、
前記シート部表面の後縁から上方へ延びる背凭れと、
を備え、
前記キャリアは実質的に板状を呈し、
前記キャリアは前記シート部表面の前縁から実質的に下方へ延びており、
前記キャリアは前記シート部表面から下方へ且つやや前方へ延伸し、
前記キャリアは前記ベースの前側に取り付けられ、該ベースの前側に沿って上下動可能とされ、
前記キャリアは前記シート部の足支持部材とされ、
さらに、前記シート部を所望の高さ位置にロックするように、ロック位置とロック解除位置との間で移動可能なレバーを備えるハイチェア。
【請求項２】
前記ベースは相互に分離する両前脚と、これらの前脚を接続するクロス部材とを有し、前記キャリアが該クロス部材の上で移動可能である、請求項１記載のハイチェア。
【請求項３】
前記前脚、後脚は、水平に延伸し且つ実質的にＨ字形又はＵ字形を呈する接続部により接続されている、請求項２に記載のハイチェア。
【請求項４】
前記Ｕ字形の接続部の側部接続部分は横方向接続部に隣接し、且つ該キャリアはＵ字形の接続部における側部接続部分に取り付けられる、請求項３に記載のハイチェア。
【請求項５】
前記ハイチェアは、シート部を前記ベースに対する所望の高さ位置にロックするロック装置を備えており、
該ロック装置は、ロック位置とロック解除位置との間で移動可能で、前記キャリアの下部分からなるレバーを有し、
前記ロック位置で、該下部分が前記キャリアの前記横方向平面から延伸し、かつ前記ロック解除位置で、該下部分が該平面の前側から延伸する、請求項１から４のいずれかに記載のハイチェア。
【請求項６】
前記ハイチェアは、シート部を前記ベースに対する所望の高さ位置にロックするロック装置を備えており、
該ロック装置は、少なくとも一つのカムで前記キャリアに取り付けたヒンジレバーと、リッジ部とスロット部とを含む扇形状（ｓｃａｌｌｏｐｅｄ）の表面を有し前記ベースに取り付けられて実質的に直立した少なくとも一つのラックとにより、前記カムがヒンジ軸の周りに回転して該ラックのスロットに出入りすることで、前記ベースの直立移動をロックする、請求項１から５のいずれかに記載のハイチェア。
【請求項７】
前記レバーが、その上端にヒンジ取り付けられ、かつ前記ロック位置において下方へ延伸して、キャリアの固定部分に当接するように構成される、請求項６に記載のハイチェア。
【請求項８】
前記レバーは、ロック位置において前記レバーをキャリアに当接させてロックするようにするセカンドロック装置を有する、請求項６又は７に記載のハイチェア。
【請求項９】
前記セカンドロック装置は、該セカンドロック装置を操作するための、前記レバーの下縁に近接する操作ハンドルを有する、請求項８に記載のハイチェア。
【請求項１０】
前記レバーは板状であり、前記ロック位置に位置した場合、板状のキャリアと一体化するように形成される、請求項５から９のいずれかに記載のハイチェア。
【請求項１１】
前記ハイチェアは、一端が前記ベースに取付けられ他端が前記シート部に取付けられた、少なくとも一つのガススプリングを有する、請求項１から１０のいずれかに記載のハイチェア。
【請求項１２】
前記キャリアは、少なくとも実質的に直立したガイド部材およびコネクタ部材により前記ベースに取付けられており、
該ガイド部材が前記ベースおよび前記キャリアのいずれかの一方に、該コネクタ部材が前記ベースおよび前記キャリアの他方に設置され、該コネクタ部材が該ガイド部材と相互に係合し且つ該ガイド部材に沿って垂直に移動可能である、請求項１から１１のいずれかに記載のハイチェア。
【請求項１３】
前記コネクタ部材が前記ガイド部材に分離可能に接続されることにより、前記シート部およびキャリアが前記ベースから分離可能にされる、請求項１２に記載のハイチェア。
【請求項１４】
前記コネクタ部材および該ガイド部材は、前記シート部がその最高位置を超えるように移動されると、該コネクタ部材が該ガイド部材から押し上げられるように配置される、請求項１３に記載のハイチェア。
【請求項１５】
床上に支持されるように配置されるベースと、
該ベースに取り付けられ、該ベースに対して実質的な直立方向において調整可能なキャリアと、
実質的に水平延伸し且つ該キャリアに接続されるシート部表面を有するシート部と、
前記シート部表面の後縁から上方へ延びる背凭れと、
を備え、
前記キャリアは実質的に板状を呈し、
前記キャリアは前記シート部表面の前縁から実質的に下方へ延びており、
前記キャリアは前記シート部表面から下方へ且つやや前方へ延伸し、
前記キャリアは前記ベースの前側に取り付けられ、該ベースの前側に沿って上下動可能とされ、
前記キャリアは前記シート部の足支持部材とされ、
さらに、シート部を前記ベースに対する所望の高さ位置にロックするロック装置を含んでおり、
該ロック装置は、少なくとも一つのカムで前記キャリアに取り付けたヒンジレバーと、リッジ部とスロット部とを含む扇形状（ｓｃａｌｌｏｐｅｄ）表面を有し前記ベースに取り付けられて実質的に直立した少なくとも一つのラックとにより、前記カムがヒンジ軸の周りに回転して該ラックのスロットに出入りすることで、前記ベースの直立移動をロックする、ハイチェア。
【請求項１６】
床上に支持されるように配置するベースと、
該ベースに取り付けられ、該ベースに対して実質的な直立方向において調整可能なキャリアと、
実質的に水平延伸し且つ該キャリアに接続されるシート部表面を有するシート部であって、シート部材とシート部表面の前縁から下向きに伸びシート部にスライド可能に取付けられた足支持部材とを有する前記シート部と、
前記シート部表面の後縁から上方へ延びる背凭れと、
前記ベースと前記足支持部材との間に取付けられ、ロック位置とロック解除位置との間で移動可能にすることにより、前記シート部を前記ベースに対する所望の高さにロックするロック装置と、
を有し、
前記キャリアは実質的に板状を呈し、
前記キャリアは前記シート部表面の前縁から実質的に下方へ延びており、
前記キャリアは前記シート部表面から下方へ且つやや前方へ延伸し、
前記キャリアは前記ベースの前側に取り付けられ、該ベースの前側に沿って上下動可能とされ、
前記キャリアは前記シート部の足支持部材とされる、ハイチェア。
【請求項１７】
前記ベースは、二つの逆Ｕ字形部材と、両脚の間を接続するクロス部材とを有しており、
前記ロック装置が前記クロス部材と前記足支持部材との間に取付けられる、請求項１６に記載のハイチェア。
【請求項１８】
前記ロック装置は、カム表面で前記支持部材に枢接して取付けられたレバーと、複数のリッジ部とスロット部とを含む扇形状（ｓｃａｌｌｏｐｅｄ）の表面を有し前記ベースに取り付けられて実質的に直立した少なくとも一つのラックとを有しており、
前記ロック装置が前記ロック位置にあると、前記カム表面がこれらのスロット部のうちの一つと係合することにより前記シート部を前記ベースに対する所望の高さにロックする、請求項１６又は１７に記載のハイチェア。
【発明の詳細な説明】
【技術分野】
【０００１】
本発明はハイチェアに関するものである。特に、床上に支持されるベースと、実質的に水平延伸し且つ前記ベースに接続されるシート部表面を有し、該ベースに対して実質的な直立方向において調整可能なシート部とを備えるハイチェアに関するものである。
本発明は、米国仮出願No.60/834,207を優先権としており、その記載内容を本明細書に引用される。
【背景技術】
【０００２】
一般、ハイチェアは児童の成長に合わせるように、高さ調整可能にされている。このようなハイチェアは、例えば特許文献1、特許文献2などがある。これらのハイチェアには、シート部表面の高さはベースの両垂直柱に沿って移動することによって調整される。
これらの発明は、児童の成長段階において使用され、容易に調整、使用するように、心地よく安全なハイチェアにするためのものである。
【先行技術文献】
【特許文献】
【０００３】
【特許文献１】米国特許第40,109,961号明細書
【特許文献２】国際公開第2006/031112号パンフレット
【発明の概要】
【課題を解決するための手段】
【０００４】
本発明の一形態において、モジュール式ハイチェアは、床上に支持されるように配置するベースと、該ベースに取り付けられ、該ベースに対して実質的な直立方向において調整可能なキャリアと、実質的に水平延伸し且つ該キャリアに接続されるシート部表面を有するシート部とを備え、前記キャリアは前記シート部表面の前縁から実質的に下方へ延びている、ハイチェアである。この構成により、該シート部の高さを調整しやすくなり、また、該シート部は比較的低い位置にある場合、該シート部表面よりも上方の前記ベースの必要のない箇所を延伸する必要がなくなり、言い換えれば、すべての高さにおいて、該ベース全体は該シート部表面の下に保持されることになる。
【０００５】
好ましくは、背凭れが、前記シート部表面の後縁から上方へ延びる。これにより、前記シート部の高さを調整した場合、該背凭れの高さは変動しない。
【０００６】
好ましくは、前記キャリアは前記ベースの前側に取り付けられ、該ベースの前側に沿って上下動可能とされる。
【０００７】
好ましくは、前記キャリアは前記シート部表面から下方へ且つやや前方へ延伸する。また、好ましくは、前記キャリアは前記シート部の脚支持部材とされる。好ましくは、前記キャリアは実質的に板状を呈する。これにより、該キャリアが、前記シート部に完全に一体化される。
【０００８】
好ましくは、前記ベースは相互に分離する両前脚、そして相互に分離する両後脚を備える。好ましくは、前記ベースは相互に分離する両前脚と、これらの前脚を接続するクロス部材とを有し、前記キャリアが該クロス部材の上で移動可能である。好ましくは、これらの前、後脚は、水平に延伸し且つ実質的にH字形又はU字形を呈する接続部により接続されており、前記U字形の接続部の側部接続部分は横方向接続部に隣接し、且つ該キャリアはU字形の接続部における側部接続部分に取り付けられる。
【０００９】
前記ハイチェアは、シート部を前記ベースに対する所望の高さ位置にロックするロック装置を備えており、該ロック装置は、ロック位置とロック解除位置との間で移動可能で、前記キャリアの下部分からなるレバーを有する。前記ロック位置で、該下部分が前記キャリアの前記横方向平面から延伸し、かつ前記ロック解除位置で、該下部分が該平面の前側から延伸する。
【００１０】
前記レバーは、少なくとも一つのカムで前記キャリアに取り付たヒンジレバーと、リッジ部とスロット部とを含む扇形状（scalloped）の表面を有し前記ベースに取り付けられて実質的に直立した少なくとも一つのラックとにより、前記カムがヒンジ軸の周りに回転して該ラックのスロットに出入りすることで、前記ベースの直立移動をロックする。前記レバーが、その上端にヒンジ取り付けられ、かつ前記ロック位置において下方へ延伸して、キャリアの固定部分に当接するように構成するのは好ましい。前記レバーは、ロック位置において前記レバーをキャリアに当接させてロックするようにするセカンドロック装置を備えるのは好ましい。前記セカンドロック装置は、該セカンドロック装置を操作するための、前記レバーの下縁に近接する操作ハンドルを備えるのは好ましい。
【００１１】
前記レバーは板状であり、前記ロック位置に位置した場合、板状のキャリアと一体化するように形成されるのは好ましい。
【００１２】
本発明のハイチェアは、一端が前記ベースに取付けられ、他端が前記シート部に取付けられた、少なくとも一つのガススプリングを備えるのは好ましい。該ガススプリングは前記キャリアで実質的に直立に延伸するのは好ましい。
【００１３】
前記キャリアは、少なくとも実質的に直立したガイド部材およびコネクタ部材により前記ベースに取付けられており、該ガイド部材が前記ベースおよび前記キャリアのいずれかの一方に、該コネクタ部材が前記ベースおよび前記キャリアの他方に設置され、該コネクタ部材が該ガイド部材と相互に係合し且つ該ガイド部材に沿って垂直に移動可能であるのは好ましい。前記コネクタ部材が前記ガイド部材に分離可能に接続されることにより、前記シート部およびキャリアが前記ベースから分離可能にするのは好ましい。前記コネクタ部材および該ガイド部材は、前記シート部がその最高位置を超えるように移動されると、該コネクタ部材が該ガイド部材から押し上げられるように配置される。
【００１４】
本発明の別の形態において、ハイチェアは、床上に支持されるように配置されるベースと、該ベースに取り付けられ、該ベースに対して実質的な直立方向において調整可能なキャリアと、実質的に水平延伸し且つ該キャリアに接続されるシート部表面を有するシート部とを備え、前記ベース全体は前記シート部表面の平面の下で延伸する、ハイチェアである。
【００１５】
本発明の別の形態において、ハイチェアは、床上に支持されるように配置されるベースと、該ベースに取り付けられ、該ベースに対して実質的な直立方向において調整可能なキャリアと、実質的に水平延伸し且つ該キャリアに接続されるシート部表面を有するシート部とを備え、さらに、シート部を前記ベースに対する所望の高さ位置にロックするロック装置を含んでおり、該ロック装置は、少なくとも一つのカムで前記キャリアに取り付たヒンジレバーと、リッジ部とスロット部とを含むる扇形状（scalloped）表面を有し前記ベースに取り付けられて実質的に直立した少なくとも一つのラックとにより、前記カムがヒンジ軸の周りに回転して該ラックのスロットに出入りすることで、前記ベースの直立移動をロックする、ハイチェアである。
【００１６】
本発明の別の形態において、ハイチェアは、実質的硬い材料により形成されたシート部と、シートベルト、緩衝バー、クラッチバー及び/又は足載せ台などの取り外し可能なアクセサリーとを含んでおり、該シート部及びアクセサリーは、前記シート部に位置する少なくとも一つのスリット及び前記アクセサリーに位置し該スリットに嵌入する少なくとも一つの接続用クリップを有し且つこれらのアクセサリーを前記シート部に接続するための接続機構を備え、該クリップ及びスリットの組み合わせは、弾性をもつ舌片とエッジスナップ接続部を有し、該クリップを該スリット挿入したときに該クリップをロックするようにしており、前記スリットは、該スリットにロック解除ツールを挿入することによって前記ロック接続を該ロック解除ツールにより解除できるように形成されている、ハイチェアである。
【００１７】
本発明の別の形態において、ハイチェアは、床上に支持されるように配置するベースと、シート部材とシート部表面の前縁から下向きに伸び、シート部にスライド可能に取付けられた脚支持部材を有する前記シート部と、前記ベースと前記脚支持部材との間に取付けられ、ロック位置とロック解除位置との間で移動可能にしたことにより、前記シート部を前記ベースに対する所望の高さにロックするロック装置と、を有する。前記ベースは、二つの逆U字形部材と、両脚の間を接続するクロス部材とを有しており、前記ロック装置が前記クロス部材と前記脚支持部材との間に取付けられるのは好ましい。前記ロック装置は、カム表面で前記支持部材に枢接して取付けられたレバーと、複数のリッジ部とスロット部とを含む扇形状（scalloped）の表面を有し前記ベースに取り付けられて実質的に直立した少なくとも一つのラックとを有しており、前記ロック装置が前記ロック位置にあると、前記カム表面がこれらのスロット部のうちの一つと係合することにより前記シート部を前記ベースに対する所望の高さにロックするのは好ましい。前記ラックはT字形の輪郭を有しており、前記シート部の脚支持部材は、前記ラックと合わせる押し出し材を有することにより、該脚支持部材が前記ベースに取り外し可能に接続され且つ前記ラックに沿ってスライド可能になるように構成されている。
【００１８】
本発明の別の形態において、ハイチェアは、ベースフレームと、該ベースに移動可能に取付けられて、シート部材と該シート部材表面の前縁から下向きに延伸する脚支持部材とを有するシート部と、を備え、前記脚支持部材は、メイン部とメイン部に枢接されたカバー部とを有し、該カバー部は第1位置と第2位置との間で移動可能にされており、前記カバー部が第1位置にあると、前記カバー部は前記メイン部と同じ水平面にあり且つ前記シート部を前記ベースに対する所望の高さ位置にロックし、前記カバー部が第2位置にあると、該カバー部が前記メイン部に対して前向き位置に回転し且つ前記シート部が前記ベースに対して自由的に移動可能になるように構成されている、ハイチェアである。
【００１９】
本発明の別の形態において、ハイチェアは、二つの逆U字形部材と両脚の間を接続するクロス部材とを有するベースと、シート部材と該シート部材表面の前縁から下向きに延伸する脚支持部材とを有するシート部と、を備え、前記脚支持部材は前記クロス部材に分離可能に取付けられて、前記シート部が前記ベースから離脱されるのを防止するためのラッチクリップを有する。前記ベースのクロス部材はT字形の輪郭を呈するラックを有しており、前記脚支持部材は前記ラックと合わせる押し出し材を有することで、該脚支持部材が前記ベースに対して所望の高さ位置にスライド可能になっており、また前記ラッチが前記押し出し材に接続され、該T字形の輪郭の下で延びるのは好ましい。
【図面の簡単な説明】
【００２０】
本発明は下記の図面による実施例にて更に説明する：
【図１Ａ】本発明によるアクセサリーを有するモジュール式ハイチェアを示す斜視図である。
【図１Ｂ】本発明によるアクセサリーを有するモジュール式ハイチェアを示す斜視図である。
【図１Ｃ】本発明によるアクセサリーを有するモジュール式ハイチェアを示す斜視図である。
【図２】図1のアクセサリーを有する該モジュール式ハイチェアを示す分解斜視図である。
【図３】箱において図1に示されたモジュール式ハイチェアを分解して示す斜視図である。
【図４】図3に示されたガイド部材を示す平面図である。
【図５Ａ】図1に示されたハイチェアにおけるセカンドロック装置機構を示す斜視図である。
【図５Ｂ】図1に示されたハイチェアにおけるセカンドロック装置機構を示す斜視図である。
【図５Ｃ】図1に示されたハイチェアにおける、セカンドロック装置機構及び足載せ台を有するキャリアを示す断面図である。
【図６】図1に示されたハイチェアにおける、セカンドロック装置機構を有するキャリアを開いた状態を示す斜視図である。
【図７Ａ】図1に示されたハイチェアにおける、セカンドロック装置機構を有するキャリアを示す断面図である。
【図７Ｂ】図1に示されたハイチェアにおける、セカンドロック装置機構を有するキャリアを示す断面図である。
【図８】図1に示されたハイチェアにおける、足載せ台を有するキャリアを示す詳細斜視図である。
【図９Ａ】図1に示されたハイチェアにおける、緩衝バーと背凭れとの接続を示す概略断面斜視図である。
【図９Ｂ】図1に示されたハイチェアにおける、シート部表面とクラッチとの接続を示す局部断面斜視図である。
【図９Ｃ】図1に示されたハイチェア及び緩衝バー、クラッチバー、トレイを示す詳細斜視図である。
【図１０Ａ】図1に示されたハイチェアにおけるシートベルトを示す斜視図である。
【図１０Ｂ】図10のシートベルトにおけるバックルを示す断面斜視図である。
【図１０Ｃ】図10のシートベルトにおけるバックルを示す断面斜視図である。
【図１１Ａ】図1に示されたハイチェアにおける、シートベルトとシート部との間の接続を示す断面斜視図である。
【図１１Ｂ】図1に示されたハイチェアにおける、シートベルトとシート部との間の接続を示す断面斜視図である。
【発明を実施するための形態】
【００２１】
以下、本発明を図面を参照しながら詳細に説明する。
図には、高さを調整可能なハイチェア1、及び該ハイチェア部品を形成するための多数の取り外し可能な構成組み合わせ材が示されている。前記ハイチェア1は、シート部2と、ベース3と、足載せ台4、トレイテーブル5、バックル7を有するシートベルト6、一体化された緩衝バー8/クラッチバー9、クッション10など数多くの取り外し可能な部品とを備える。前記ベース3は高さを調整するために、前記ハイチェア1の脚11,12,13,14を形成し、前記シート部2がこれらの脚11,12の前面で直立に移動する。前記シート部2は、その位置が機構15によりその直立方向においてロックされ、そしてオーバーセンタカム1501と前記ベースの部材によりクランプする。前記シート部2は、シート部表面201、上方へ延伸する背面202、下方へ延伸する足載せ表面203により構成される。前記ベース3は、二つの逆U字形部材301,302と、両脚の両直線部の間に往復するクロス部材303からなる。前記シート部2の足載せ表面203が該クロス部材303に接続され、機構15(例えばオーバーセンタカムなど)がロック解除されると、該表面で直立にスライドすることができる。該機構15は例えばオーバーセンタカム1501を備える。該高さ調整移動は、動作制御ハードウェア例えばガススプリング1502により補助して行なう。
【００２２】
図1及び2に示すように、前記ハイチェアは、シート部2と、ベース3と、足載せ台4、トレイテーブル5、バックル7を有するシートベルト6、一体化された緩衝器8/クラッチバー9、クッション10など数多くの取り外し可能な部品とを備える。
【００２３】
前記シート部2は、シート部表面201、上方へ延伸する背面202、下方へ延伸する足載せ表面203により構成される。該シート部2外部はプラスチック例えばポリプロピレンを射出成形するにより製造され、且つ主要な部品であるフロントシェル204、バックシェル205を備える。内部フレーム206がこれらのシェル204,205の間に介在され、図6に示されるように好ましいスナップ及びねじにより三者が固定されている。この内部フレーム206は折り畳み式シートスチール(folded sheet steel)により製造されることが可能であり、これにより前記シート部2に付加的剛性を提供し、更に二つの機能をもっている。その一つは、シート部2及びベース3との間に高さ調整機構の接続を提供することであり、もう一つは、前記機構15を回転させることのできる軸1503を収納することである。該機構15は、図5C,6,7A/Bに示されたような高さ調整ロックを行うようにオーバーセンタカム部品1511を備える。部分のフロント及びバックシェル204,205の足載せ表面203が開けられており、カバー208がそのギャップを充填する。該カバー208は前記オーバーセンタカム(又はこれと類似する)部品1511に接続される。前記カバー208及び該カム部品1511は例えばプリプロピレンを射出成形することにより製造される。前記カム部品1511と前記カバー208とを組み合わせることにより、図5C,6,7A/Bに示されたような高さ調整ロックハンドルアセンブリ15を形成する。このアセンブリにも、第二ラッチアセンブリ1504が収納されている。該第二ラッチアセンブリ1504は、前記カバー208の背部に接続されるレバー状ハンドル1505とラッチ1506とからなる。前記ラッチ1506及びレバー状ハンドル1505は、ポリプロピレンを射出成形することにより製造されるのは好ましい。スプリング1508又はこれと類似する作動部品は前記カバー208とラッチ1506との間に位置し、該ラッチ1506を上向き(ロック)位置に保持する。前記カバー208がそのロック位置(前記これらフロント、バックシェル204,205と密着するよう)に回転されると、前記ラッチ1506が前記内部フレーム206の後部に嵌入されるようになる。前記ラッチ1506は図5Cに示されたような傾斜表面210を有しており、前記カバー208がそのロック位置に回転されると、前記内部フレーム206が、該ラッチ1506を下向きに押す。前記バックシェル205は二本の長いスロット211を含み、その後部は例えば二つのアルミニウム製押し出し材212,213であり、前記内部フレーム206に固定されている。これらスロット211の夫々に、ガススプリング1502(又はこれと類似する装置)が設けられている。ガススプリング1502の上端は前記バックシェル205と内部フレーム206により位置決めされ、該ガススプリング1502の下端のピンは、小さな円形又は面取りしたエンドキャップを有し、前記シート部2からベースへの組み合わせを補助する。
【００２４】
図2及び3に示すように、ベース3は、二つの逆U字形部材301,302、該U字形脚による四本の脚11,12,13,14、及びこれらの脚のうち「脚」11,12の間のクロス部材303からなる。該二つの逆U字形部材301,302は矩形の二つのアルミニウム製押し出し材により製造される。該矩形のアルミニウム製押し出し材は3つの直線面及び2つの湾曲部を備える。夫々の逆U字形部材301,302は前脚及び後脚を有し、これらの前脚 及び後脚は平行せず、該逆U字形の頂部とこれらの脚のいずれか一側との間の角度が90度より大きくなっている。前記逆U字形部材301,302は、前記両前脚11,12に嵌入された前記クロス部材303により分離されている。前記逆U字形部材301,302は、互いに平行しないように、脚端において角度が外向きにされる。前記クロス部材303は、ポリプロピレンを射出成形することにより形成されたカバーを有する折り畳み式シートスチール部品によって構成される。前記クロス部材は前記両前脚11,12の間に固定されている。四つの脚端1101,1201,1301,1401が前記脚11,12,13,14の切断端に装着されている。これらの脚端はポリプロピレンを射出成形することにより製造することが可能である。図3,4に示すように、両射出成形T輪郭材304,305は、前記クロス部材303に固定され、たとえばPOM又はナイロンにより製造される。この二つの輪郭材304,305は、これらのアルミニウム製押し出し材と前記シート部の内部フレーム206とが接続するように前記アルミニウム製押し出し材212,213に嵌入されたように製造される。これらのT輪郭材304,305は、その長さが前記高さ調整範囲よりも長くされて、中間位置には、前記ガススプリング1502(又はこれと類似する装置)を収容するための、開口が下向きである凹部306を有しており、また前記カム部品1511が挟持される扇形状表面307を備える。また組み合わせ易くするために、その上端が面取りされている。
【００２５】
前記シート部2及びベース3の組み合わせにおいては、前記シート部2における二つのアルミニウム製押し出し材212,213が前記ベースの二つのT輪郭材304,305の上でスライドする。そして、前記ガススプリング1502の脚端及び付加されたエンドキャップが該T輪郭材304,305の端壁(end wall)と接触し、前記ガススプリング1502を圧縮し始める。該シート部2が前記ベース3に対するロック可能な最高位置に達すると、該シート部が不用意に再び移動されることのないように、それぞれのT輪郭材304,305の下の二つのラッチフィンガー214がT輪郭304,305の下にロックされる。これらのラッチフィンガー214は、例えば該シート部のアルミニウム製押し出し材212,213に接続される。
【００２６】
さらに、ハイチェア1は、多くの取り外し可能パーツを有する。図2及び8に示すような足載せ台4は、例えば、ポリプロピレンをガスアシスト射出成形することにより製造される。この足載せ台4が前記高さ調整ロックハンドルアセンブリ15に接続されることにより、該アセンブリにともなって移動する。該高さ調整ロックハンドルアセンブリ15がロック解除位置にあると、該足載せ台4はこれを湾曲するのを容易に利用して移動分離する。二つの突起401が前記カム部品1511の二本のスロット1509に嵌合される。
【００２７】
図2及び9A/Bに示すように、緩衝バー8を有し、該緩衝バー8は、スナップなどによりクラッチバー9に固定的に接続される。該緩衝バー8の端部は前記シート部2の背面の通孔215内に回動可能に置かれている。該緩衝バー8の端部の小突起801は、前記背面202における通孔215の小凹部217内に嵌入され、これにより、前記クラッチバー9が位置決めされた場合、該緩衝バー8とクラッチバー9とを位置決めする。前記クラッチバー9は撓み性をもつスナップ901を有しており、該クラッチバー9が前記シート部2のシート部表面201における通孔219内に押し入れると、部品全体をロックして位置決めすることができる。前記クラッチバー9の撓み部902において押し付けることにより、該スナップ901が押し返され、緩衝バー/クラッチバー8,9が取り外し可能になる。これらの部品は、例えばポリプロピレンをガスアシスト射出成形することにより製造可能とされる。
【００２８】
図2,10A,及び11A/Bに示すように、前記シートベルト6を前記シート部へ接続するための五つの接続用クリップ601が設けられている。これらの接続用クリップ601が前記シート部表面201及び背面202の通孔220内に嵌入され、そして各接続用クリップ601のスナップ602により適切な箇所に固定されている。前記シートベルト6を取り外す場合には、前記シート部2の背/下側から工具618を挿入して、前記スナップ602を解除する。左右肩用ベルト693,694位置に用いられる二つの接続用クリップ601、左右腰用ベルト605,606位置に用いられる二つの接続用クリップ601、及びクラッチ用ベルトに用いられる接続用クリップ601は、例えばポリプロピレンを射出成形することにより製造可能とされる。前記シートベルト6には、軟質帯びが用いられ。三種類の長さを有しており、一つ目の長さは左肩部から左腰部にかけて且つバックルクリップ608を有する長さでり、二つ目の長さは右肩部から右腰部にかけて且つバックルクリップ609を有する長さであり、そして、そのほかの長さはクラッチベルト接続用クリップ610を前記バックル7に接続するためのものである。図10A/B/Cに示すように、前記バックル7は二つの前記バックルクリップ608,609を有し、例えばABSを射出成形することにより製造された5つのプラスチック製部品から構成される。前半部701及び後半部702を有するシェルと、撓み性のあるボタン703とそれそれが撓み性をもつスナップ615,616を有する二つのバックルクリップ608,609とを備えている。前記ボタン703が押し付けられると、これらのスナップ615,616が前記前半部701におけるリブ704の背後から離脱される。前記ボタン703が圧縮された場合、両圧縮スプリング705が、これらのバックルクリップ608,609をバックルシェルから押し出すことができる。
【００２９】
図1A,2,9Cに示すように、トレイテーブル5は前記緩衝バー8に装着される。二つの突出リブ部501,502が該緩衝バー8の端部に沿って、前記シート部2における背面202の通孔215に嵌合される。二つのトレイ用スナップ503,504は該トレイテーブルの内部端に位置して、前記緩衝バー8に嵌合される。前記トレイテーブル5を取り外すために、これらのスナップ503,504が後方に向けて湾曲されて、該トレイテーブル5を引き上げた後、前記シート部2から分離させることができる。これらの部材は例えばポリプロピレンを射出成形することにより製造される。図1A/B/C,2に示すような取り外し可能な発泡クッション10は、赤ちゃんのために前記シート部2に付けてもよい。
【００３０】
消費者が買う前に、運送コンテナの容積の最善利用及び小型収納空間の要求のため、製品の体積が最小化されなければならない。そのハイチェアを包装するための箱の体積を最小化するために、前記シート部2及び前記ベース3は両分離可能な部材に作られ、図3のように、その嵌合が許容されるため、空間の節約になる。
【００３１】
下記の大量の指示及び工具がなくても、消費者が該ハイチェア1を簡易に組み立てることができる。修理するために工場に送るとき、引越しするとき、該製品を収納しようとするときに、消費者は該ハイチェア1を分解して、元の箱に戻すようにすることができるのは望ましい。しかし、これらの動作は意識的に行われるものであり、不用意に発生することがない。
【００３２】
消費者は両部品を簡易に嵌合させ合うことができる。まず、前記高さ調整ロックハンドルアセンブリ15を完全に開けてから、前記ベースにおけるT輪郭材304,305で、シート部2の背部に設ける二つのアルミニウム製押し出し材212,213をスライドさせる。そして、両ガススプリング1502が、前記シート部2にともなってこれらのT輪郭材304,305に押し付けられ力を加え始める。そして該シート部2がこれらの脚11,12,13,14に対応するロック可能な最高位置に達すると、「カチッ」という音が聞こえたら、前記シート部がこれらの脚11,12,13,14に嵌合したのがわかるようにされる。これにより、意識的な動作で該シート部2及び脚11,12,13,14しか分離できなくなる。
【００３３】
前記シート部2に位置するのは、二つのアルミニウム製押し出し材212,213若しくはこれと類似するものであり、この二つの部品が前記T輪郭材304,305の上でスライドする。該両T輪郭材304,305が前記の脚11,12,13,14の間に位置するクロス部材303に接続される。両ガススプリング1502(又は類似もの)が前記アルミニウム製押し出し材212,213のそれぞれの中心に置かれており、該シート部2が前記ベース3に組み入れると、これらのガススプリング1502が前記両T輪郭材304,305に嵌合される。ガススプリング1502の一端が前記シート部2に接続され、前記シート部2が前記ベース3に組み入れると、該ガススプリング1502の他端がこれらのT輪郭材304,305の端壁と接続するようになっている。前記シート部2が下方へ押し付けられてこれらの脚11,12,13,14に対応するロック可能な最高位置に達すると、四つのラッチフィンガー214(組み入れる期間で弾性変形する)が元の位置に戻し、前記シート部2が前記ベース3から離脱するのを防止する。該シート部2を該ベース3から離脱させるのに、これらの部品を再び押さなければならなくなる。
【００３４】
消費者が好きな製品を買うならば、できるだけ長期間使用できるものが望まれている。ハイチェア1に高さ調整機構を付加することにより、該ハイチェア1がより長く使用できるようになる。該ハイチェア1が児童の身長にしたがって低くすることができる。その高さ調整についても、親が例えば長いすに座わって、赤ちゃんに給食を与えようとしたときに、ハイチェア1の高さを、給食を与えられる高さまでに調整可能である。
【００３５】
消費者が、該ハイチェア1の正常使用により該高さ調整機構をロックしなかった場合、該機構は自動的にロックすることができる。消費者も、該ハイチェア1の位置がロックされているか否か明確に確認できる。その高さは、部分の高さ調整に限られるものではなく、その最高位置から最低位置までのいずれの高さに調整できるものである。その高さ調整も、大人が手で容易に行うことができる。その高さ調整については、該ハイチェア1にいる児童又は兄弟が不用意に行なうことが不可能にされているのも大事である。また、高さがロックされた場合、ハイチェア1はガタガタしたり不安定したりすることによる不安全感が人に与えないように、そのシート部2とベース3との間のガタツキを除去若しくは最小化しなければならない。
【００３６】
図5A/B/C,6及び7A/Bに示すようなロック機能は第一及び第二ロック装置15,1504により構成される。例えば、該第一ロック装置15はオーバーセンタカム快速ロック解除機構を使用している。前記カム1501は、荷重が前記ハイチェア1に加えられると、該カム1501がそのロック位置に回転するように配置されている。これは、いつでも、赤ちゃんがそのハイチェア1に座っている限り、赤ちゃんの体重によりその機構がロックされるのを意味する。ロックされたら、そのカム1501がT輪郭材304,305における扇形状表面307と接続することになる。その扇形状表面307は、該カム1501とクリップとの接続面積を増加させるため、及び上方又は下方への移動による力に抗する該力の垂直分力を増加させるために用いられる。前記カム1501がそのロック位置にあると、そのT輪郭材304,305に向けて確実に押されることにより、前記シート部2とベース3との間のガタツキを除去し且つ強固な構造にすることができる。
【００３７】
前記高さ調整ロックハンドルアセンブリ15がそのロック解除位置にあると、前記シート部2の足載せ表面203から突伸するようになる。よって、該シート部2がそのロック位置に位置しなかったことは、使用者にとって容易に確認できる。
【００３８】
ピン/ホール式機構ではなく、カム類機構を使用しているので、シート部2の位置数量に対する制限も少ない。ガススプリング1502(又は類似もの)の使用により、前記カム1501が解除されると、上向きに緩やかに該シート部2を押すため、その高さ調整が簡易化される。使用者は、一方の手で下へ該シート部2に押し付け、所望の高さ位置に達すると、他方の手で該シート部2をロックする。
なお、ガススプリング1502(又は類似もの)がなければ、使用者がより困難な動作でそのシート部2を所望の位置に引き上げなければならない。そのため、該シート部2のみを引き上げることでなく、ハイチェア1全体が床から引き上げられることになり、また、そのシート部2の片側が引き上げられ、該シート部2が湾曲変形されてしまい、調整が困難になる。
【００３９】
第二ロック装置1504により、不用意なロック解除を回避することができ、該高さ調整ロックハンドルアセンブリ15が回転する前にロック解除しなければならない。図5A/Bに示すように、下方へ該レバー状ハンドル1505をスライドさせることにより、該第二ロック装置1504をロック解除することができる。スライドしてから回動することにより二つの分離動作がスムーズに行われ、関連性のない二つの動作が生じない。
【００４０】
上記のように、前記シート部2は二つのT輪郭材304,305の上でスライドう可能な、例えば二つのアルミニウム製押し出し材212,213を含んでいる。該二つのT輪郭材304,305は、前記ベース3の脚11,12,13,14のクロス部材303に接続されている。該アルミニウム製押し出し材212,213の中心は、前記カム部品1511のカム1501が抜け通せるように切り欠かれている。これらの脚11,12,13,14の間のクロス部材303に位置する二つのT輪郭材304,305は扇形状表面307を有し、前記カム1501/と接触することによりロック位置に維持されている。前記カム部品1511自身は前記カバー208に接続されている。前記内部フレーム206は前記フロントシェル204及びバックシェル205に位置して、前記カム1501(及び高さ調整ロックハンドルアセンブリ15)がその周りに回動する軸1503を有する。前記ラッチ1506は該高さ調整ロックハンドルアセンブリ15の背部に設けられ、且つ使用者の手により下方へ向けてスライドすることができ、これにより前記カム1501の回転が許容される。該ラッチ1506が上向き位置にあると、該ラッチ1506が前記内部フレーム206の背面に嵌入され、前記カム1501が回転するのを防止することができる。前記レバー状ハンドル1505が下方へ移動されると、その第二ロック装置1504も移動されて、該カム1501が自由に回転できるようになる。また、スプリング1508は、前記ラッチ1506を上向き位置に保持するように、前記カバー208とラッチ1506との間に位置する。該ラッチ1506は、前記シート部2の内部フレーム206により該ラッチ1506の傾斜表面に対して押され、下方へ移動される。
【００４１】
児童の年齢に合わせて、保護者も、児童又は保護者の所望にしたがって適切に変化させることが望んでいる。
【００４２】
前記トレイテーブル5は整理するために取り外し可能にされており、たとえそのハイチェア1にトレイテーブル5がなくても使用可能であることは要求されている。これらの標準により、前記トレイテーブル5が使用される場合、クラッチバー9は必要である。赤ちゃんに関して、シートベルト6が要求されるが、比較的大きい児童であれば、シートベルト6が取り外し可能とされている。足載せ台4及び緩衝バー8も必要がない場合、取り外し可能とされている。
【００４３】
児童の成長及び必要の変化により、そのシート部も容易に変化させることができる。該ハイチェア1は、図1に示されたような異なる部品を取り外すことにより、標準の赤ちゃん用ハイチェア1から普通の児童用ハイチェア1に変化させることができる。該トレイテーブル5は、緩衝バー8、クラッチバー9が所定の位置にあるときに、使用することができるようになる。トレイテーブル5が一旦取り外されると、該緩衝バー8、クラッチバー9は所定の位置に位置しているままのため、該ハイチェア1に付加的な機能性を与えることができる。
【００４４】
幼い児童のため、柔軟なクッション10をその設計に加えることができる。児童の成長にともない、それを、シートベルト6を取り外すことにより取り外すことができる。該シートベルト6は接続用クリップ601により該ハイチェア1に接続されている。該接続用クリップ601は、工具618を利用するだけで簡易に取り外すことができる。該工具618を前記シート部2における前記バックシェル205の前記スロット211に挿入させることにより、該接続用クリップ601の撓み性をもつスナップ602を押して分離させ、該スナップがロック解除される。先ず、前記トレイテーブル5の内部のトレイ用スナップ503,504をロック解除してから、該トレイテーブル5を前記シート部2の背面のスロットからスライドさせて離脱することにより、該トレイテーブル5を容易に取り外すことができる。前記緩衝バー8も類似の方式で取り外すことができる。該クラッチバー9に設けた撓み部902を押すことにより、該クラッチバー9のスナップ901が解除される。そしてクラッチバー9を引き離す。続いて前記緩衝バー8が前記シート部2の背面202に設けたスロット215から回転して離脱する。また前記足載せ台4は先ず、高さ調整ロックハンドルアセンブリ15を解除することにより離脱し、該足載せ台4を引き離すことで、片方ずつ該足載せ台4を取り外すことができる。
【００４５】
バックルの作動は固定過程において複雑であるならば、使用者が使用しようともしないため、より理想的なバックル7は簡易に使用しやすいものである。該バックル7はハイチェアに座っている児童の両脚の間且つ長さが適切なベルトに位置する。二つのバックルクリップ608,609がベルトの両長さ位置に接続される。その一つの長さは児童の左肩から左腰にかけての長さであり、もう一つの長さは児童の右肩から右腰にかけての長さである。この二つのバックルクリップ608,609が独立して該バックル7に嵌合することができる。
【００４６】
該バックル7は五つのプラスチック部品から製造される。該バックル7の前半部701及び後半部702により形成されるシェルと、ボタン703と、二つのバックルクリップ608,609とを備え、前記バックルクリップは、前記ボタン703の押しにより屈曲され、該後半部702のリブ704後面から解除される撓み性をもつスナップ615,616を有する。二つのスプリング705が、該ボタン703が押されると、これらのバックルクリップ608をバックル7のシェルから押して離脱させることができる。
【００４７】
以上の実施例は本発明を詳細に説明するためのものに過ぎないため、本願の技術思想を逸脱しない範囲で各種の変化、変更をすることができる。
【符号の説明】
【００４８】
１  児童用ハイチェア
２  シート部
３  ベース
４  足載せ台
５  トレイテーブル
６  シートベルト
７  バックル
８  緩衝バー
９  クラッチバー
１０  クッション
１１，１２，１３，１４  脚
１５  高さ調整ロックハンドルアセンブリ
２０１  シート部表面
２０２  背面
２０３  脚載せ表面
２０４  フロントシェル
２０５  バックシェル
２０６  内部フレーム
２０８  カバー
２１１  スロット
２１２，２１３  押し出し材
２１４  ラッチフィンガー
２１５，２１９，２２０  通孔
２１７  小凹部
３０１，３０２  逆U字形部材
３０３  クロス部材
３０４，３０５  T輪郭材
３０６  凹部
３０７  扇形状表面
４０１  突起
５０１，５０２  突出リブ部
５０３，５０４  トレイ用スナップ
６０１  接続用クリップ
６０２  スナップ
６０５，６０６  左右腰用ベルト
６０８，６０９  バックルクリップ
６１０  クラッチベルト接続用クリップ
６１５，６１６  スナップ
６１８  工具
７０１  前半部
７０２  後半部
７０３  ボタン
７０４  リブ
７０５  両圧縮スプリング
８０１  小突起
９０１  スナップ
１１０１，１２０１，１３０１，１４０１  脚端
１５０１  オーバーセンターカム
１５０２  ガススプリング
１５０３  軸
１５０４  ラッチ組立体
１５０５  レバー状ハンドル
１５０６  ラッチ
１５０８  スプリング
１５１１  オーバーセンタカム部品
【図１Ａ】
0005410972.tif 000002
【図１Ｂ】
0005410972.tif 000003
【図１Ｃ】
0005410972.tif 000004
【図２】
0005410972.tif 000005
【図３】
0005410972.tif 000006
【図４】
0005410972.tif 000007
【図５Ａ】
0005410972.tif 000008
【図５Ｂ】
0005410972.tif 000009
【図５Ｃ】
0005410972.tif 000010
【図６】
0005410972.tif 000011
【図７Ａ】
0005410972.tif 000012
【図７Ｂ】
0005410972.tif 000013
【図８】
0005410972.tif 000014
【図９Ａ】
0005410972.tif 000015
【図９Ｂ】
0005410972.tif 000016
【図９Ｃ】
0005410972.tif 000017
【図１０Ａ】
0005410972.tif 000018
【図１０Ｂ】
0005410972.tif 000019
【図１０Ｃ】
0005410972.tif 000020
【図１１Ａ】
0005410972.tif 000021
【図１１Ｂ】
0005410972.tif 000022